(57)【要約】      （修正有）【課題】複数の柱や梁等の木部材を接続して形成された構造体では、接続部分に大きなせん断力が加わると、木部材が接続部分を起点として木目に沿って割れ、破壊する傾向がある。このような構造体では、木部材の割れを防ぐため金具または当て木を用いて接続部分を補強したり、木部材を太くしたり、木材に代えて金属材料を用いるようにしていた。しかしながら、金具や当て木を用いると、当然ながら金具の表面と木部材の表面との間に段差が発生したり、コストが高くなるなどの問題があった。【解決手段】この木部材の補強構造では、木部材に釘等の棒状接続具８が打ち込まれ、さらにその近傍に、前記棒状接続具に直交し、かつ、木部材の木目に直交する方向に棒状補強具１１が打ち込まれていることを特徴としている。【選択図】図４
2006321048.tif 000002
【特許請求の範囲】
【請求項１】
木部材に釘等の棒状接続具が打ち込まれ、さらにその近傍に、前記棒状接続具に直交し、かつ、木部材の木目に直交する方向に棒状補強具が打ち込まれていることを特徴とする木部材の補強構造。  
【請求項２】
複数の木部材が接続された接続部分に、前記棒状補助具が打ち込まれていることを特徴とする請求項１記載の木部材の補強構造。
【請求項３】
前記棒状補助具が木ねじ部材からなることを特徴とする請求項１または２記載の木部材の補強構造。
【請求項４】
請求項１記載の木部材の補強構造によって、間仕切りパネルの上桟である木部材が、天井に接続されるとともに補強されていることを特徴とする間仕切りパネルと天井の接続構造。
【請求項５】
請求項２記載の木部材の補強構造によって木枠が構成され、該木枠に面材が張られていることを特徴とする壁パネル。
【発明の詳細な説明】
【技術分野】
【０００１】
本発明は、木部材を簡易に補強することができ且つ簡単な構造を有する木材の補強構造並びにこの補強構造を用いた間仕切りパネルと天井の接続構造および壁パネルに関するものである。
【背景技術】
【０００２】
一般に、複数の柱や梁等の木部材を接続して形成された構造体では、接続部分に大きなせん断力が加わると、木部材が接続部分を起点として木目に沿って割れ、破壊する傾向がある。
【０００３】
従来、このような構造体では、木部材の割れを防ぐため、金具または当て木を用いて接続部分を補強したり、木部材を太くしたり、木材に代えて金属材料を用いるようにしていた。
【０００４】
しかしながら、金具や当て木を用いると、当然ながら金具等の表面と木部材の表面との間に段差が発生する。この段差を少なくするために木部材の表面に繊維強化シートを巻きつけたりして接着剤によって固定することが提案されている（特許文献１参照）が、繊維強化シートを巻きつける作業と接着剤を固定する作業のためにコストと時間がかかってしまうという問題があった。また、木部材を太くすると、材料コストが高くなり、またスペースの関係で太くできない場合が生ずる。更に、木材以外の材料を使用すると、材料のコストが高くなる上、木ねじ部材や釘が使用できなくなってきわめて不便であり、且つコストが高くなるという問題があった。
【特許文献１】特開平１０−３７４８３号
【発明の開示】
【発明が解決しようとする課題】
【０００５】
本発明の目的は、上述の如き従来技術の問題点を解消するために木部材の補強部分に単に打ち込むだけで木部材を補強することができる簡単な構造を有する木部材の補強構造並びにこの補強構造を用いた間仕切りパネルと天井の接続構造および壁パネルを提供することにある。
【課題を解決するための手段】
【０００６】
上記目的を達成するために、本発明に係る木部材の補強構造は、木部材に釘等の棒状接続具が打ち込まれ、さらにその近傍に、前記棒状接続具に直交し、かつ、木部材の木目に直交する方向に棒状補強具が打ち込まれていることを特徴とする。  
【０００７】
上記棒状補助具は、一実施例において、複数の木部材が接続された接続部分に打ち込まれる。この棒状補助具は、具体例として、木ねじ部材からなっている。
【０００８】
また、本発明に係る間仕切りパネルと天井の接続構造は、上記木部材の補強構造によって、間仕切りパネルの上桟である木部材が、天井に接続されるとともに補強されていることを特徴とする。
【０００９】
更に、本発明に係る壁パネルは、上記木部材の補強構造によって木枠が構成され、この木枠に面材が張られていることを特徴とする。
【発明の効果】
【００１０】
本発明によれば、棒状補強具を木部材の補強部分に打ち込むだけで木部材の割れ等を防ぐことができるので、木部材を簡易に補強することができる。  
【００１１】
また、棒状補強具が木部材の木目に対し垂直方向に打ち込まれるので、木目に沿って割れる等の現象を未然に防止することができる。
【００１２】
また、複数の木部材が接続された最も破壊しやすい接続部分に接近した位置に棒状補強具が打ち込まれるので、木部材を十分に補強することができる。
【００１３】
更に、棒状補強具が木ねじ部材から成っているので、打ち込まれた木ねじ部材が木部材から容易に抜け出すことが防止され、木部材を堅固に補強することができ且つ適当な市販の木ねじを使用することができ、補強具の入手に便利である。
【発明を実施するための最良の形態】
【００１４】
以下、本発明を実施するための最良の形態を、この形態を具体化した実施例について詳細に述べる。
【００１５】
図１を参照すると、本発明に係る木部材の補強構造を適用した間仕切りパネルと天井の接続構造および壁パネルが全体的に符号１で示されている。この間仕切りパネルと天井の接続構造および壁パネル１は、例えば、木枠２と、この木枠２に取り付けられた間仕切りパネル３とを有する。
【００１６】
木枠２は、この実施例では、複数の木部材、例えば、間隔をあけて配置された縦桟４と、これら縦桟を接続する複数の横桟５とを有する。
【００１７】
間仕切りパネル３は、図１には、この間仕切りパネルを構成する天井板６のみが示されている。
【００１８】
縦桟４と上方に位置する横桟５、即ち、上桟との接続状態をより詳細に示すため、図２は、図１のＡ部の拡大を示し、縦桟４と他の横桟５との接続状態をより詳細に示すため、図３は、図１のＢ部の拡大を示している。
【００１９】
横桟５と天井板６とは、図１に示すように、適当な棒状接続具、例えば、釘７によって固定され、縦桟４と、横桟５（上桟を含む）とは、図２および図３に示すように、適当な棒状接続具、例えば、釘８によって固定される。
【００２０】
尚、図１において、符号９は、天井根太を示す。
【００２１】
図２および図３に示すように、本発明に係る補強構造に用いる棒状補強具１０が間仕切りパネルと天井の接続構造および壁パネルに設けられている。この棒状補強具１０は、木枠またはパネルを補強するために、木枠またはパネルの任意の補強部分に打ち込まれる。
【００２２】
この棒状補強具は、代表的な実施例として、例えば、図５に示す木ねじ部材１１から成っている。
【００２３】
この木ねじ部材１１は、打込部１２と頭部１３とを含み、打込部１２は、尖端部１４とこの尖端部に連続して設けられた螺旋部１５とを有する。木ねじ部材１１は、図２乃至図４に示すように、打込部１２が縦桟４および横桟５の補強部分に打ち込まれるようにされている。尚、頭部１３も縦桟等の表面から突出しないように、できるだけ縦桟４および横桟５内に埋め込まれるように木ねじ部材が打ち込まれるのが好ましい。
【００２４】
ここで、留意すべきは、木ねじ部材１１が、縦桟４および上桟５の接続部分の近接位置で、縦桟４および上桟５の一方あるいは両方に打ち込まれることである（図４参照）。また、木ねじ部材１１が縦桟４および横桟５の木材の木目に対し垂直方向に木材に打ち込まれることが好ましい。これら理由を図6および図7を参照して説明する。
【００２５】
図6Ａに示すように、縦桟４と横桟５とが釘８によって結合されている場合、横桟５に外力Ｐが加えられたとき、主に、一方では、図6Ｂに示すように、横桟５が厚み方向の中間で木目に沿って割れ、接続部分から離れた位置で破壊するという現象が生じ、他方では、図6Ｃに示すように、縦桟４が釘８の位置で木目に沿って割れるという現象が生ずる。概述すると、図7Ａに示すように木目に対して垂直方向に外力が加わると、図7Ｂに示すように木部材は、外力の印加に伴ってその木目に沿って割れ易い。また、縦桟４と横桟５との接続部分の近くで破壊する傾向が大きい。木ねじ部材が縦桟４と横桟５との接続部分の近くで木目に対して垂直に打ち込まれると、図7Ｃおよび図7Ｄに示すように、木ねじ部材が外力および木部材の割れる力を負担し、木部材の割れを防止することができる。これとは別に、木ねじ部材を縦桟４および横桟５の任意の補強すべき位置に打ち込むこともできる。
【００２６】
上記木ねじ部材は、木部材に打ち込まれたとき、その螺旋部１７によって、木部材から容易に抜け出すことが防止され、また、木枠あるいはパネルに十分な強度を付与することができる。この木ねじ部材は、市販の木ねじを利用することができるので、補強具の入手にきわめて便利である。上記棒状補強具１０の打ち込み長さは、木部材が割れるのを十分防止するだけの長さと、この補強具が容易に抜け出さない長さとを考慮して定められる。
【００２７】
尚、木部材の小口が接続部分の場合には、補強具が割れないように小口から適切な距離だけ離した位置に打ち込まれるのが好ましい。木部材の割れが複数の方向に伸びる可能性がある場合には、それぞれの方向の割れ部分の起点付近に打ち込まれるのがよい。
【００２８】
上述の如く、本発明によれば、木部材に単に打ち込むだけで木部材の破壊を防止することができる木部材の補強構造並びに間仕切りパネルと天井の接続構造および壁パネルを提供することができる。
【００２９】
尚、本発明は上記実施例に限定されることなく、種々の変形、変更を上記実施例に施すことができる。
【図面の簡単な説明】
【００３０】
【図１】本発明に係る木部材の補強構造を適用した壁パネルの斜視図。
【図２】図１のＡ部の拡大斜視図。
【図３】図１のＢ部の拡大斜視図。
【図４】本発明に係る木部材の補強構造に用いる棒状補強具が図１に示された壁パネルにおける縦桟と横桟とに打ち込まれた状態を示す一部斜視図。
【図５】棒状補強具の一実施例の木ねじ部材を示す斜視図。
【図６】図１に示された壁パネルにおける縦桟と横桟との接続状態を示す一部斜視図であって、Ａは、外力が横桟に作用している状態を示す斜視図、Ｂは、横桟が破壊した状態を示す一部斜視図、Ｃは、縦桟と横桟との接続部分が破壊した状態を示す一部斜視図。
【図７】木部材の木目の部分を示す端面図であって、Ａは、木部材の木目に対し垂直方向に外力が作用した状態を示す説明図、Ｂは、木部材が木目に沿って割れた状態を示す説明図、Ｃは、木部材の木目に対し垂直方向に木ねじ部材が打ち込まれた状態を示す説明図、Ｄは、外力が作用しても木部材が破壊しない状態を示す説明図。
【符号の説明】
【００３１】
１    壁パネル
２    木枠
３    パネル
４    縦桟
５    横桟
１０  補助具
１１  木ねじ部材
【図１】
2006321048.tif 000003
【図２】
2006321048.tif 000004
【図３】
2006321048.tif 000005
【図４】
2006321048.tif 000006
【図５】
2006321048.tif 000007
【図６】
2006321048.tif 000008
【図７】
2006321048.tif 000009